(57)【要約】【課題】照明器具に簡易に固定することができる照明用光源を提供する。【解決手段】照明器具６０に取り付けられる照明用光源としてのＬＥＤユニット１であって、前方に光を発する発光素子２１ａが設けられた実装基板２０と、実装基板２０の後方に配置される支持台４０と、支持台４０とで実装基板２０を前後方向に挟み込むように配置される筐体１０とを備え、支持台４０は、固定部材７０によって照明器具６０に固定されることで支持台４０を照明器具６０に固定する支持台固定部４１ｅ、４２ｅ、４３ｆを有し、筐体１０は、固定部材７０と係合可能な筐体係合部１１ｅ、１２ｅ、１３ｆを有し、支持台固定部４１ｅ、４２ｅ、４３ｆと筐体係合部１１ｅ、１２ｅ、１３ｆとは、前方から見て、異なる位置に配置されている。【選択図】図８
2014175268.tif 000002
【特許請求の範囲】
【請求項１】
照明器具に取り付けられる照明用光源であって、
前方に光を発する発光素子が設けられた基板と、
前記基板の後方に配置される支持台と、
前記支持台とで前記基板を前後方向に挟み込むように配置される筐体とを備え、
前記支持台は、固定部材によって前記照明器具に固定されることで前記支持台を前記照明器具に固定する支持台固定部を有し、
前記筐体は、前記固定部材と係合可能な筐体係合部を有し、
前記支持台固定部と前記筐体係合部とは、前方から見て、異なる位置に配置されている
照明用光源。
【請求項２】
前記筐体係合部は、前記固定部材によって前記支持台固定部が前記照明器具に固定された状態で、前記固定部材と前後方向に離間して配置される
請求項１に記載の照明用光源。
【請求項３】
前記支持台固定部と前記筐体係合部とは、前記固定部材を挿入するための挿入孔を形成するように対向して配置されている
請求項１または２に記載の照明用光源。
【請求項４】
前記固定部材は、前記照明器具に挿入されて固定される柱部と、前記柱部に接続され前記柱部よりも径が大きい大径部とを有しており、
前記支持台固定部は、前記大径部と前記照明器具との間に挟まれて前記照明器具に固定され、
前記筐体係合部は、前記大径部と前記照明器具との間に、前記大径部と係合可能に配置される
請求項１〜３のいずれか１項に記載の照明用光源。
【請求項５】
前記支持台固定部は、前記筐体係合部よりも前記支持台の中心に近い位置に配置されている
請求項１〜４のいずれか１項に記載の照明用光源。
【請求項６】
前記支持台固定部は、前記支持台の外周を切り欠くようにして形成されている
請求項１〜５のいずれか１項に記載の照明用光源。
【請求項７】
請求項１〜６のいずれか１項に記載の照明用光源と、
当該照明用光源が取り付けられ、前記照明用光源に給電を行うための照明器具と
を備える照明装置。
【発明の詳細な説明】
【技術分野】
【０００１】
本発明は、光源としてＬＥＤ等の発光素子が用いられる照明用光源及び当該照明用光源を備える照明装置に関する。
【背景技術】
【０００２】
従来、光源として発光ダイオード（ＬＥＤ：Ｌｉｇｈｔ  Ｅｍｉｔｔｉｎｇ  Ｄｉｏｄｅ）が用いられた円盤状または扁平状の照明用光源であるＬＥＤランプが提案されている（例えば、特許文献１参照）。このようなＬＥＤランプにおいては、一般的に、発光素子が設けられた基板と、基板を支持する支持台と、筐体とを備えており、照明器具に対して支持台と筐体とをネジで共締めすることで、ＬＥＤランプを照明器具に固定する。
【先行技術文献】
【特許文献】
【０００３】
【特許文献１】米国特許出願公開第２０１２／０２３６５３２号明細書
【発明の概要】
【発明が解決しようとする課題】
【０００４】
しかしながら、上記従来のＬＥＤランプでは、当該ＬＥＤランプを照明器具に固定する際の作業が煩雑になるという問題がある。
【０００５】
つまり、上記従来のＬＥＤランプでは、一般的に金属製の支持台と樹脂製の筐体とを備えているため、支持台と筐体とをネジで共締めする際に、ネジの締付けトルクを管理したり、筐体の締付け部分にハトメやスペーサを設けたりして、樹脂製の筐体を保護する必要がある。これにより、照明器具に対して支持台と筐体とをネジで共締めする作業が煩雑になるため、ＬＥＤランプを照明器具に固定する際の作業が煩雑になるという問題がある。
【０００６】
本発明は、上記問題を解決するためになされたものであり、照明器具に簡易に固定することができる照明用光源及び照明装置を提供することを目的とする。
【課題を解決するための手段】
【０００７】
上記目的を達成するために、本発明の一態様に係る照明用光源は、照明器具に取り付けられる照明用光源であって、前方に光を発する発光素子が設けられた基板と、前記基板の後方に配置される支持台と、前記支持台とで前記基板を前後方向に挟み込むように配置される筐体とを備え、前記支持台は、固定部材によって前記照明器具に固定されることで前記支持台を前記照明器具に固定する支持台固定部を有し、前記筐体は、前記固定部材と係合可能な筐体係合部を有し、前記支持台固定部と前記筐体係合部とは、前方から見て、異なる位置に配置されていることを特徴とする。
【０００８】
また、前記筐体係合部は、前記固定部材によって前記支持台固定部が前記照明器具に固定された状態で、前記固定部材と前後方向に離間して配置されることにしてもよい。
【０００９】
また、前記支持台固定部と前記筐体係合部とは、前記固定部材を挿入するための挿入孔を形成するように対向して配置されていることにしてもよい。
【００１０】
また、前記固定部材は、前記照明器具に挿入されて固定される柱部と、前記柱部に接続され前記柱部よりも径が大きい大径部とを有しており、前記支持台固定部は、前記大径部と前記照明器具との間に挟まれて前記照明器具に固定され、前記筐体係合部は、前記大径部と前記照明器具との間に、前記大径部と係合可能に配置されることにしてもよい。
【００１１】
また、前記支持台固定部は、前記筐体係合部よりも前記支持台の中心に近い位置に配置されていることにしてもよい。
【００１２】
また、前記支持台固定部は、前記支持台の外周を切り欠くようにして形成されていることにしてもよい。
【００１３】
また、上記目的を達成するために、本発明の一態様に係る照明装置は、上記の照明用光源と、当該照明用光源が取り付けられ、前記照明用光源に給電を行うための照明器具とを備えることを特徴とする。
【発明の効果】
【００１４】
本発明によれば、照明器具に簡易に固定することができる照明用光源及び当該照明用光源を備えた照明装置を実現することができる。
【図面の簡単な説明】
【００１５】
【図１Ａ】本発明の実施の形態１に係るＬＥＤユニットを斜め前方から見た場合の外観を示す斜視図である。
【図１Ｂ】本発明の実施の形態１に係るＬＥＤユニットを斜め後方から見た場合の外観を示す斜視図である。
【図２】本発明の実施の形態１に係るＬＥＤユニットを前後方向に切断した場合の断面図である。
【図３】本発明の実施の形態１に係るＬＥＤユニットを分解した場合の各構成要素を示す分解斜視図である。
【図４】本発明の実施の形態１に係る筐体を前方から見た場合の平面図である。
【図５】本発明の実施の形態１に係る筐体を側方及び後方から見た場合の平面図である。
【図６】本発明の実施の形態１に係る支持台を前方から見た場合の平面図である。
【図７】本発明の実施の形態１に係る支持台を側方及び後方から見た場合の平面図である。
【図８】本発明の実施の形態１に係る筐体と支持台とを前方から見た場合の平面図である。
【図９】本発明の実施の形態１に係る筐体と支持台とを側方及び後方から見た場合の平面図である。
【図１０】本発明の実施の形態１に係る筐体係合部と支持台開口部との位置関係を示す斜視図及び拡大断面図である。
【図１１】本発明の実施の形態１に係る筐体係合部が固定部材と係合可能に配置されていることの効果を説明するための図である。
【図１２】本発明の実施の形態２に係る照明装置の構成を示す断面図である。
【発明を実施するための形態】
【００１６】
以下、本発明の実施の形態に係る照明用光源としてのＬＥＤユニット（ＬＥＤランプ）及び照明装置について、図面を参照して説明する。なお、以下で説明する実施の形態は、いずれも本発明の好ましい一具体例を示すものである。以下の実施の形態で示される数値、形状、材料、構成要素、構成要素の配置位置及び接続形態などは、一例であり、本発明を限定する主旨ではない。また、以下の実施の形態における構成要素のうち、本発明の最上位概念を示す独立請求項に記載されていない構成要素については、より好ましい形態を構成する任意の構成要素として説明される。また、各図において、寸法等は厳密には一致しない。
【００１７】
（実施の形態１）
まず、本発明の実施の形態１に係るＬＥＤユニット１の概略構成について、説明する。
【００１８】
図１Ａは、本発明の実施の形態１に係るＬＥＤユニット１を斜め前方から見た場合の外観を示す斜視図である。また、図１Ｂは、本発明の実施の形態１に係るＬＥＤユニット１を斜め後方から見た場合の外観を示す斜視図である。また、図２は、本発明の実施の形態１に係るＬＥＤユニット１を前後方向に切断した場合の断面図である。また、図３は、本発明の実施の形態１に係るＬＥＤユニット１を分解した場合の各構成要素を示す分解斜視図である。
【００１９】
ここで、図１Ａ、図２及び図３では、ＬＥＤユニット１から光を取り出す側（以下、光照射側という）が上側となるように、また、図１Ｂでは、光照射側が下側となるように図示されている。以下、光照射側を前側（前方）、光照射側と反対側を後側（後方）、前後方向に交差する方向を側方として、説明を行う。
【００２０】
これらの図に示すように、ＬＥＤユニット１は、全体形状が矩形で扁平状の照明用光源であり、照明器具（図示せず）に取り付けられて光を照射する。具体的には、ＬＥＤユニット１は、例えば外径が５０ｍｍ〜１００ｍｍ、高さが１０ｍｍ〜３０ｍｍのＬＥＤランプである。ここで、ＬＥＤユニット１は、筐体１０と、実装基板２０と、絶縁体３０と、支持台４０とを備えている。
【００２１】
筐体１０は、ＬＥＤユニット１の光照射側（前方）に配置された、前後方向の長さが短い扁平形状（平盤状）で矩形形状の筐体である。具体的には、筐体１０は、前部及び後部に開口部を有し、後部で支持台４０と接続されている。そして、筐体１０と支持台４０とで形成される空間には、実装基板２０と絶縁体３０とが配置されている。つまり、筐体１０は、支持台４０とで実装基板２０を前後方向に挟み込むように配置されている。筐体１０は、ＰＢＴ（ポリブチレンテレフタレート）などの絶縁性を有する合成樹脂からなる樹脂筐体で構成される。なお、筐体１０の構成の詳細な説明については、後述する。
【００２２】
実装基板２０は、筐体１０の内方に配置され、半導体発光素子等の発光素子２１ａが設けられた基板である。実装基板２０は、例えば、平板状で構成されており、発光素子２１ａが搭載される一方の面と支持台４０に対して熱的に接続可能な他の面とを有している。また、実装基板２０は、熱伝導性が高い材料で構成することが好ましく、例えば、アルミナからなるアルミナ基板により構成される。なお、実装基板２０としては、アルミナ基板以外に、窒化アルミニウム等のその他のセラミック基板、アルミ、銅等の金属基板、高熱伝導樹脂などからなる樹脂基板、あるいは、金属と樹脂との積層構造を有するようなメタルベース基板等を用いてもかまわない。
【００２３】
具体的には、実装基板２０には、前方に光を発する発光素子２１ａを有する発光部２１が設けられている。発光部２１は、実装基板２０に実装された単数または複数のＬＥＤチップ（図示せず）と、封止部材（図示せず）とを備えている。ＬＥＤチップは、実装基板２０の一方の面上にダイボンディング等によって実装される。
【００２４】
なお、ＬＥＤチップとしては、例えば、中心波長が４４０ｎｍ〜４７０ｎｍの青色光を発光する青色発光ＬＥＤチップが用いられる。また、封止部材は、ＬＥＤチップを封止してＬＥＤチップを保護するとともにＬＥＤチップからの光を波長変換するために、蛍光体を含む樹脂で構成された蛍光体含有樹脂である。封止部材としては、例えば、ＬＥＤチップが青色発光ＬＥＤである場合、白色光を得るために、ＹＡＧ（イットリウム・アルミニウム・ガーネット）系の黄色蛍光体粒子をシリコン樹脂に分散させた蛍光体含有樹脂を用いることができる。これにより、発光部２１（封止部材）からは、蛍光体粒子によって波長変換された黄色光と青色発光ＬＥＤチップからの青色光とによって白色光が放出される。
【００２５】
また、発光部２１の外径は、例えば５ｍｍ〜５０ｍｍであり、ＬＥＤユニット１が２０Ｗ型のＬＥＤランプの場合には、発光部２１の外径は、例えば２０ｍｍである。
【００２６】
なお、本実施の形態では、丸型の発光部２１を例示したが、本発明において、発光部の形状または構造は丸型のものに限定されない。例えば、角型の発光部を用いてもよい。また、複数のＬＥＤチップの並びは特に限定されず、例えば、ＬＥＤチップをライン状に封止したり、マトリックス状に封止したり、円形状に封止したりすることができる。
【００２７】
また、実装基板２０の端部の両隅には、コネクタ２２及び２３が配置されており、図１Ａに示すように、コネクタ２２及び２３には、照明器具と発光部２１とを電気的に接続するためのリード線の先端に配置されたリード線先端部２２ａ及び２３ａが挿入される。なお、同図では、リード線は省略して図示している。ここで、リード線先端部２２ａ及び２３ａは、給電用のピンであり、具体的には円柱状の金属製のピンである。つまり、リード線先端部２２ａ及び２３ａを介して、照明器具から電力を受電して、当該電力を実装基板２０上の配線を介して発光部２１に供給することで、発光部２１のＬＥＤチップを発光させる。
【００２８】
なお、コネクタ２２及び２３には、アース用のピンがさらに挿入されることにしてもよいし、例えば調光を行う場合には、調光用のピンが挿入されることにしてもよい。また、コネクタ２２及び２３の配置位置についても限定されず、どこに配置されていてもかまわない。また、リード線先端部２２ａ及び２３ａの形状は、円柱状に限らず、矩形の柱状、板状など、どのような形状であってもかまわない。また、リード線の先端にはリード線先端部２２ａ及び２３ａが配置されておらず、リード線がコネクタ２２及び２３に直接挿入されてもよい。
【００２９】
絶縁体３０は、実装基板２０と支持台４０とを絶縁するための絶縁性のシートであり、実装基板２０と支持台４０との間に挟まれるように配置されている。具体的には、絶縁体３０は、実装基板２０の前面の充電部と支持台４０との間の絶縁距離を確保するために、実装基板２０の周囲を覆うように環状に形成された部材である。支持台４０上に絶縁体３０が配置されて、絶縁体３０上に実装基板２０が配置されることで、実装基板２０と支持台４０とが絶縁される。なお、絶縁体３０は、例えばゴムまたは樹脂製のシートであり、具体的にはシリコン、ナイロン、ＰＥＴ（ポリエチレンテレフタレート）、アクリルなどから形成される。
【００３０】
支持台４０は、照明器具に接続される部材である。具体的には、支持台４０は、ネジ止めなどによって照明器具に取り付けられ固定される。また、支持台４０は、実装基板２０が取り付けられる台座であって、実装基板２０の光照射側とは反対側（後方）に配置されている。また、支持台４０は、ネジ止めなどによって照明器具に取り付けられるため金属製の部材であるのが好ましく、アルミニウムなどの熱伝導性が高い材料で構成することがさらに好ましい。つまり、支持台４０は、実装基板２０の熱を照明器具に伝熱することで、実装基板２０が発生した熱を放熱させる役割を担う。なお、支持台４０は、無機フィラーを含有した高熱伝道樹脂やセラミックスなどによって構成されていてもよい。支持台４０の構成の詳細な説明については、後述する。
【００３１】
なお、支持台４０の前面または後面には、実装基板２０からの熱を照明器具側に逃がすための伝熱性の熱伝導部材が配置されていてもよい。熱伝導部材としては、例えば、シリコンシートまたはアクリルシートなどのゴムまたは樹脂製のシートや、グリスなど液状の部材などが考えられる。
【００３２】
また、筐体１０の内方または前方に、発光部２１から照射される光を反射する反射鏡が接続されてもよい。ここで、反射鏡としては、ポリカーボネートなどで形成された絶縁性を有する白色の合成樹脂材料によって構成されたものが考えられる。また、筐体１０の前面に、透光性のカバーが配置されてもよい。ここで、透光性のカバーとしては、ポリカーボネートなどの光透過率の高い合成樹脂材料によって構成されたものが考えられる。
【００３３】
また、筐体１０の内方または外方に、発光素子２１ａを駆動する回路素子（電子部品）を有する駆動回路が設けられ、発光素子２１ａを発光、消光または調光させることにしてもよい。回路素子としては、例えば、各種コンデンサ、抵抗素子、整流回路素子、コイル素子、チョークコイル（チョークトランス）、ノイズフィルタ、ダイオードまたは集積回路素子等が考えられる。
【００３４】
次に、筐体１０の構成について、詳細に説明する。
【００３５】
図４は、本発明の実施の形態１に係る筐体１０を前方から見た場合の平面図である。また、図５は、本発明の実施の形態１に係る筐体１０を側方及び後方から見た場合の平面図である。
【００３６】
これらの図に示すように、筐体１０は、第一筐体側面部１１と、第二筐体側面部１２と、第三筐体側面部１３とを備えている。ここで、第一筐体側面部１１は、平面状の側面を有する部位であり、第二筐体側面部１２は、第一筐体側面部１１と対向する位置に配置され平面状の側面を有する部位である。また、第三筐体側面部１３は、第一筐体側面部１１と第二筐体側面部１２とを繋ぐ、平面状の側面を有する部位である。
【００３７】
具体的には、第一筐体側面部１１は、第一筐体平面部１１ａ及び１１ｂと、第一筐体凹部１１ｃとを有している。ここで、第一筐体平面部１１ａ及び１１ｂは、平面状の側面である。また、第一筐体凹部１１ｃは、第一筐体平面部１１ａと第一筐体平面部１１ｂとの間に配置された凹形状の側面であり、円弧形状に凹んだ形状を有している。つまり、第一筐体側面部１１は、平面状の側面を円弧形状に切り欠いたような形状を有している。
【００３８】
また、第一筐体側面部１１には、第一筐体平面部１１ｂに隣接して、円形状の切欠きである筐体開口部１１ｄが形成されており、第一筐体側面部１１は、筐体開口部１１ｄを形成する筐体係合部１１ｅを有している。ここで、筐体開口部１１ｄは、ＬＥＤユニット１を照明器具に固定するための後述の固定部材が挿入される開口部であり、筐体係合部１１ｅは、当該固定部材と係合可能に形成されている。筐体係合部１１ｅの構成の詳細な説明については、後述する。
【００３９】
第二筐体側面部１２は、第二筐体平面部１２ａ及び１２ｂと、第二筐体凹部１２ｃとを有している。ここで、第二筐体平面部１２ａ及び１２ｂは、平面状の側面であって、第一筐体平面部１１ａ及び１１ｂと対向する位置に配置されている。また、第二筐体凹部１２ｃは、第二筐体平面部１２ａと第二筐体平面部１２ｂとの間であって第一筐体凹部１１ｃと対向する位置に配置された凹形状の側面であり、円弧形状に凹んだ形状を有している。つまり、第二筐体側面部１２は、第一筐体側面部１１と同様に、平面状の側面を円弧形状に切り欠いたような形状を有している。
【００４０】
また、第二筐体側面部１２には、第二筐体平面部１２ｂに隣接して、円形状の切欠きである筐体開口部１２ｄが形成されており、第二筐体側面部１２は、筐体開口部１２ｄを形成する筐体係合部１２ｅを有している。ここで、筐体開口部１２ｄは、筐体開口部１１ｄと同様に、ＬＥＤユニット１を照明器具に固定するための固定部材が挿入される開口部であり、筐体係合部１２ｅは、当該固定部材と係合可能に形成されている。筐体係合部１２ｅの構成の詳細な説明については、後述する。
【００４１】
第三筐体側面部１３は、第三筐体平面部１３ａ及び１３ｂと、筐体曲面部１３ｃ及び１３ｄとを有している。ここで、第三筐体平面部１３ａ及び１３ｂは、平面状の側面であって、筐体曲面部１３ｃ及び１３ｄは、第三筐体平面部１３ａ及び１３ｂを挟むように配置された曲面状の側面である。つまり、筐体曲面部１３ｃは、第二筐体平面部１２ａと第三筐体平面部１３ａとの間に配置され、第二筐体平面部１２ａと第三筐体平面部１３ａとを繋ぐ断面が円弧形状の曲面である。また、筐体曲面部１３ｄは、第一筐体平面部１１ａと第三筐体平面部１３ｂとの間に配置され、第一筐体平面部１１ａと第三筐体平面部１３ｂとを繋ぐ断面が円弧形状の曲面である。
【００４２】
また、第三筐体側面部１３には、第三筐体平面部１３ａと第三筐体平面部１３ｂとの間を円形状に切り欠いた形状を有する筐体開口部１３ｅが形成されており、第三筐体側面部１３は、筐体開口部１３ｅを形成する筐体係合部１３ｆを有している。ここで、筐体開口部１３ｅは、筐体開口部１１ｄ及び１２ｄと同様に、ＬＥＤユニット１を照明器具に固定するための固定部材が挿入される開口部であり、筐体係合部１３ｆは、当該固定部材と係合可能に形成されている。筐体係合部１３ｆの構成の詳細な説明については、後述する。
【００４３】
以上のように、筐体１０には、３つの筐体開口部１１ｄ、１２ｄ及び１３ｅが外周に環状に形成されており、この３つの筐体開口部１１ｄ、１２ｄ及び１３ｅのそれぞれに対応して、筐体係合部１１ｅ、１２ｅ及び１３ｆが配置されている。ここで、筐体係合部１１ｅ、１２ｅ及び１３ｆは、筐体１０の中心から遠い位置に配置されている。
【００４４】
また、図５に示すように、筐体１０は、支持台４０と接続するための突出状の筐体突出部１４、１５、１６及び１７を備えている。筐体突出部１４、１５、１６及び１７は、筐体１０の内方に向けて突出した板状の突起であり、筐体突出部１４と筐体突出部１５とが対向して配置され、筐体突出部１６と筐体突出部１７とが対向して配置されている。つまり、一対の筐体突出部１４及び１５と、一対の筐体突出部１６及び１７とが支持台４０と接続されて、筐体１０が支持台４０に固定される。
【００４５】
なお、筐体１０の形状は、上記には限定されず、第一筐体側面部１１または第二筐体側面部１２は、第一筐体凹部１１ｃまたは第二筐体凹部１２ｃが形成されない平面状の部位であってもよいし、第一筐体側面部１１、第二筐体側面部１２または第三筐体側面部１３は曲面状の部位であってもよい。つまり、筐体１０は、前方から見て、多角形状、円形状などどのような形状であってもよい。
【００４６】
次に、支持台４０の構成について、詳細に説明する。
【００４７】
図６は、本発明の実施の形態１に係る支持台４０を前方から見た場合の平面図である。また、図７は、本発明の実施の形態１に係る支持台４０を側方及び後方から見た場合の平面図である。
【００４８】
これらの図に示すように、支持台４０は、第一支持台側面部４１と、第二支持台側面部４２と、第三支持台側面部４３とを備えている。ここで、第一支持台側面部４１は、平面状の側面を有する部位であり、第二支持台側面部４２は、第一支持台側面部４１と対向する位置に配置され平面状の側面を有する部位である。また、第三支持台側面部４３は、第一支持台側面部４１と第二支持台側面部４２とを繋ぐ、平面状の側面を有する部位である。
【００４９】
具体的には、第一支持台側面部４１は、第一支持台平面部４１ａ及び４１ｂと、第一支持台凹部４１ｃとを有している。ここで、第一支持台平面部４１ａ及び４１ｂは、平面状の側面である。また、第一支持台凹部４１ｃは、第一支持台平面部４１ａと第一支持台平面部４１ｂとの間の、第一筐体凹部１１ｃと対応する位置に配置された凹形状の側面であり、矩形状に凹んだ形状を有している。つまり、第一支持台側面部４１は、平面状の側面を矩形状に切り欠いたような形状を有している。
【００５０】
また、第一支持台側面部４１には、第一支持台平面部４１ｂに隣接して、半円形状の切欠きである支持台開口部４１ｄが形成されており、第一支持台側面部４１は、支持台開口部４１ｄを形成する支持台固定部４１ｅを有している。つまり、支持台固定部４１ｅは、支持台４０の外周を半円形状に切り欠くようにして形成されている。ここで、支持台開口部４１ｄは、ＬＥＤユニット１を照明器具に固定するための固定部材が挿入される開口部であり、支持台固定部４１ｅは、当該固定部材によって照明器具に固定されることで支持台４０を照明器具に固定する部位である。支持台固定部４１ｅの構成の詳細な説明については、後述する。
【００５１】
第二支持台側面部４２は、第二支持台平面部４２ａ及び４２ｂと、第二支持台凹部４２ｃとを有している。ここで、第二支持台平面部４２ａ及び４２ｂは、平面状の側面であって、第一支持台平面部４１ａ及び４１ｂと対向する位置に配置されている。また、第二支持台凹部４２ｃは、第二支持台平面部４２ａと第二支持台平面部４２ｂとの間に配置された凹形状の側面であり、矩形状に凹んだ形状を有している。また、第二支持台凹部４２ｃは、第二筐体凹部１２ｃと対応する位置であって、第一支持台凹部４１ｃと対向する位置に配置されている。つまり、第一支持台凹部４１ｃと第二支持台凹部４２ｃとは、対向する一対の矩形状の切欠きであり、第二支持台側面部４２は、第一支持台側面部４１と同様に、平面状の側面を矩形状に切り欠いたような形状を有している。
【００５２】
また、第二支持台側面部４２には、第二支持台平面部４２ｂに隣接して、半円形状の切欠きである支持台開口部４２ｄが形成されており、第二支持台側面部４２は、支持台開口部４２ｄを形成する支持台固定部４２ｅを有している。つまり、支持台固定部４２ｅは、支持台４０の外周を半円形状に切り欠くようにして形成されている。ここで、支持台開口部４２ｄは、支持台開口部４１ｄと同様に、ＬＥＤユニット１を照明器具に固定するための固定部材が挿入される開口部であり、支持台固定部４２ｅは、当該固定部材によって照明器具に固定されることで支持台４０を照明器具に固定する部位である。支持台固定部４２ｅの構成の詳細な説明については、後述する。
【００５３】
第三支持台側面部４３は、第三支持台平面部４３ａ及び４３ｂと、支持台曲面部４３ｃ及び４３ｄとを有している。ここで、第三支持台平面部４３ａ及び４３ｂは、平面状の側面であって、支持台曲面部４３ｃ及び４３ｄは、第三支持台平面部４３ａ及び４３ｂを挟むように配置された曲面状の側面である。つまり、支持台曲面部４３ｃは、第二支持台平面部４２ａと第三支持台平面部４３ａとの間に配置され、第二支持台平面部４２ａと第三支持台平面部４３ａとを繋ぐ断面が円弧形状の曲面である。また、支持台曲面部４３ｄは、第一支持台平面部４１ａと第三支持台平面部４３ｂとの間に配置され、第一支持台平面部４１ａと第三支持台平面部４３ｂとを繋ぐ断面が円弧形状の曲面である。
【００５４】
また、第三支持台側面部４３には、第三支持台平面部４３ａと第三支持台平面部４３ｂとの間を略半円形状に切り欠いた形状を有する支持台開口部４３ｅが形成されており、第三支持台側面部４３は、支持台開口部４３ｅを形成する支持台固定部４３ｆを有している。つまり、支持台固定部４３ｆは、支持台４０の外周を半円形状に切り欠くようにして形成されている。ここで、支持台開口部４３ｅは、支持台開口部４１ｄ及び４２ｄと同様に、ＬＥＤユニット１を照明器具に固定するための固定部材が挿入される開口部であり、支持台固定部４３ｆは、当該固定部材によって照明器具に固定されることで支持台４０を照明器具に固定する部位である。支持台固定部４３ｆの構成の詳細な説明については、後述する。
【００５５】
以上のように、支持台４０には、３つの支持台開口部４１ｄ、４２ｄ及び４３ｅが外周に環状に形成されており、この３つの支持台開口部４１ｄ、４２ｄ及び４３ｅのそれぞれに対応して、支持台固定部４１ｅ、４２ｅ及び４３ｆが配置されている。
【００５６】
また、図７に示すように、支持台４０は、筐体１０と接続するための支持台溝部４４、４５、４６及び４７を備えている。支持台溝部４４、４５、４６及び４７は、支持台４０の周囲に形成された溝であり、一対の支持台溝部４４及び４５が一対の筐体突出部１４及び１５と嵌合可能に配置され、一対の支持台溝部４６及び４７が一対の筐体突出部１６及び１７と嵌合可能に配置されている。つまり、一対の支持台溝部４４及び４５と一対の筐体突出部１４及び１５とが接続され、一対の支持台溝部４６及び４７と一対の筐体突出部１６及び１７とが接続されて、筐体１０と支持台４０とが固定される。
【００５７】
なお、支持台４０の形状は、上記には限定されず、第一支持台側面部４１または第二支持台側面部４２は、第一支持台凹部４１ｃまたは第二支持台凹部４２ｃが形成されない平面状の部位であってもよいし、第一支持台側面部４１、第二支持台側面部４２または第三支持台側面部４３は曲面状の部位であってもよい。つまり、支持台４０は、前方から見て、多角形状、円形状などどのような形状であってもよい。
【００５８】
次に、筐体１０が支持台４０に固定された状態での筐体１０と支持台４０との位置関係について、詳細に説明する。
【００５９】
図８は、本発明の実施の形態１に係る筐体１０と支持台４０とを前方から見た場合の平面図である。また、図９は、本発明の実施の形態１に係る筐体１０と支持台４０とを側方及び後方から見た場合の平面図である。また、図１０は、本発明の実施の形態１に係る筐体係合部１１ｅと支持台開口部４１ｄとの位置関係を示す斜視図及び拡大断面図である。
【００６０】
なお、これらの図は、支持台溝部４４、４５、４６及び４７と筐体突出部１４、１５、１６及び１７とがそれぞれ嵌合することで、筐体１０が支持台４０に固定された状態を示している。また、説明の便宜のため、図８及び図９においては、ＬＥＤユニット１のうち実装基板２０と絶縁体３０とを省略して、筐体１０と支持台４０のみを図示している。
【００６１】
まず、図８及び図９に示すように、筐体１０が支持台４０に固定された状態では、支持台固定部４１ｅ、４２ｅ及び４３ｆと筐体係合部１１ｅ、１２ｅ及び１３ｆとは、それぞれ、前方から見て、異なる位置に配置されている。具体的には、支持台固定部４１ｅ、４２ｅ及び４３ｆと筐体係合部１１ｅ、１２ｅ及び１３ｆとは、それぞれ、後述の固定部材７０を挿入するための挿入孔を形成するように対向して配置されている。
【００６２】
つまり、支持台固定部４１ｅと筐体係合部１１ｅとは、前方から見て異なる位置に配置されており、さらに、固定部材７０を挿入するための挿入孔５１を形成するように対向して配置されている。また、支持台固定部４２ｅと筐体係合部１２ｅとは、前方から見て異なる位置に配置されており、さらに、固定部材７０を挿入するための挿入孔５２を形成するように対向して配置されている。また、支持台固定部４３ｆと筐体係合部１３ｆとは、前方から見て異なる位置に配置されており、さらに、固定部材７０を挿入するための挿入孔５３を形成するように対向して配置されている。
【００６３】
また、支持台固定部４１ｅ、４２ｅ及び４３ｆは、それぞれ、筐体係合部１１ｅ、１２ｅ及び１３ｆよりも支持台４０の中心に近い位置に配置されている。つまり、支持台固定部４１ｅは、筐体係合部１１ｅよりも支持台４０の中心に近い位置に配置されており、支持台固定部４２ｅは、筐体係合部１２ｅよりも支持台４０の中心に近い位置に配置されており、支持台固定部４３ｆは、筐体係合部１３ｆよりも支持台４０の中心に近い位置に配置されている。
【００６４】
次に、図１０を用いて、詳細に説明する。なお、以下では、筐体係合部１１ｅ及び支持台固定部４１ｅの構成について詳細に説明を行うが、筐体係合部１２ｅ及び支持台固定部４２ｅ、筐体係合部１３ｆ及び支持台固定部４３ｆの構成についても同様である。このため、筐体係合部１２ｅ及び支持台固定部４２ｅ、筐体係合部１３ｆ及び支持台固定部４３ｆの構成については、説明を省略する。
【００６５】
図１０に示すように、筐体係合部１１ｅと支持台固定部４１ｅとで形成された挿入孔５１に固定部材７０が挿入され、固定部材７０が照明器具６０に取り付けられることで、ＬＥＤユニット１が照明器具６０に固定される。ここで、固定部材７０は、照明器具６０に挿入されて固定される柱部７１と、柱部７１に接続され柱部７１よりも径が大きい大径部７２とを有しているネジである。つまり、ＬＥＤユニット１は、固定部材７０によるネジ止めによって照明器具６０に固定される。
【００６６】
具体的には、支持台固定部４１ｅが、大径部７２と照明器具６０との間に挟まれて照明器具６０に固定されることで、支持台４０が照明器具６０に固定されて、ＬＥＤユニット１が照明器具６０に固定される。なお、固定部材７０によってＬＥＤユニット１を照明器具６０に取り付ける際に、ワッシャーを用いてもよい。つまり、大径部７２と支持台固定部４１ｅとの間にワッシャーを挿入して、固定部材７０によるネジ締めを行うことにしてもかまわない。
【００６７】
ここで、筐体１０は、筐体突出部１４、１５、１６及び１７が支持台溝部４４、４５、４６及び４７とそれぞれ嵌合することで、実装基板２０と絶縁体３０とを支持台４０とで挟んだ状態で、支持台４０に固定されている。
【００６８】
そして、ＬＥＤユニット１が照明器具６０に固定された状態で、筐体係合部１１ｅは、固定部材７０と係合可能に形成されている。つまり、筐体係合部１１ｅは、大径部７２と照明器具６０との間に、大径部７２と係合可能に配置される。具体的には、筐体係合部１１ｅは、固定部材７０によって支持台固定部４１ｅが照明器具６０に固定された状態で、固定部材７０の大径部７２と前後方向に離間して配置される。
【００６９】
次に、筐体係合部１１ｅが固定部材７０と係合可能に配置されていることの効果について、説明する。
【００７０】
図１１は、本発明の実施の形態１に係る筐体係合部１１ｅが固定部材７０と係合可能に配置されていることの効果を説明するための図である。具体的には、同図の（ａ）は、筐体１０が支持台４０に固定されている状態での筐体係合部１１ｅの配置位置を示す図であり、同図の（ｂ）は、筐体１０が支持台４０から外れた状態での筐体係合部１１ｅの配置位置を示す図である。
【００７１】
まず、同図の（ａ）に示すように、筐体１０が支持台４０に固定され、支持台４０の支持台固定部４１ｅが固定部材７０によって照明器具６０に固定された状態では、筐体係合部１１ｅは、固定部材７０の大径部７２と前後方向（同図では上下方向）に離間して配置されている。
【００７２】
ここで、同図は、ＬＥＤユニット１が、光照射側（前側）を鉛直下向きにして、天井などに備え付けられた照明器具６０に固定された状態を示している。また、筐体１０は、筐体突出部１４、１５、１６及び１７が支持台溝部４４、４５、４６及び４７にそれぞれ嵌合することで、支持台４０に固定されている。
【００７３】
そして、経年劣化などにより筐体突出部１４、１５、１６及び１７と支持台溝部４４、４５、４６及び４７との嵌合状態が外れた場合、筐体１０が支持台４０から外れて落下し始める。この場合、同図の（ｂ）に示すように、筐体係合部１１ｅも落下し始めるが、筐体係合部１１ｅと固定部材７０の大径部７２とが係合することで、筐体１０が支持台４０から外れて落下してしまうのを防ぐことができる。
【００７４】
このように、筐体係合部１１ｅは、筐体１０が支持台４０から外れて落下するような場合でも、固定部材７０の大径部７２と係合して筐体１０が落下しないように、固定部材７０の大径部７２と係合可能に配置されている。
【００７５】
以上のように、本発明の実施の形態１に係る照明用光源であるＬＥＤユニット１によれば、固定部材７０によって照明器具６０に固定される支持台固定部４１ｅと、固定部材７０と係合可能に配置された筐体係合部１１ｅとは、前方から見て、異なる位置に配置されている。つまり、固定部材７０によって例えば金属製の支持台固定部４１ｅが照明器具６０に固定されることで、ＬＥＤユニット１が照明器具６０に固定される。
【００７６】
このため、ＬＥＤユニット１を照明器具６０に固定する際に、固定部材７０の締付けトルクを簡易に管理することができる。
【００７７】
また、筐体１０は締付けられないことから、筐体係合部１１ｅにハトメやスペーサを設ける必要がないため、ＬＥＤユニット１の部品点数を削減し、コストを低減することができる。
【００７８】
また、樹脂の経年劣化により筐体１０が支持台４０から落下した場合でも、筐体係合部１１ｅが固定部材７０に係合することで、筐体１０の落下を防止することができる。
【００７９】
また、固定部材７０によって支持台固定部４１ｅが照明器具６０に固定された状態で、筐体係合部１１ｅは、固定部材７０と前後方向に離間して配置されている。このため、筐体係合部１１ｅにネジ締めによる力が作用しておらず、樹脂製の筐体１０の劣化を抑制することができ、樹脂が劣化して脆くなった場合でも筐体１０の破損を抑えることができる。特に、支持台４０が金属やセラミック製であるなど筐体１０よりも経年劣化の遅い材料で構成されている場合には、筐体１０の劣化を抑制することによる効果は非常に高い。
【００８０】
また、支持台固定部４１ｅと筐体係合部１１ｅとは、固定部材７０を挿入するための挿入孔５１を形成するように対向して配置されているため、容易に固定部材７０を配置して、照明器具６０と締結させることができる。
【００８１】
また、支持台固定部４１ｅは、筐体係合部１１ｅよりも支持台４０の中心に近い位置に配置されているため、支持台４０を中心寄りの位置で照明器具６０に固定することができ、支持台４０を照明器具６０に安定して固定することができる。
【００８２】
また、支持台固定部４１ｅは、支持台４０の外周を切り欠くようにして形成されているため、支持台固定部４１ｅを容易に形成できる。また、支持台固定部４１ｅを形成することによる支持台４０の面積の減少を抑制し、支持台４０から照明器具６０への放熱性を確保することができる。
【００８３】
以上のように、安価な構成で、ＬＥＤユニット１を照明器具６０に取り付ける際の信頼性を確保しつつ、ＬＥＤユニット１を照明器具６０に簡易に固定することができる。なお、上記では、ＬＥＤユニット１が筐体係合部１１ｅ及び支持台固定部４１ｅを有していることについての効果を示したが、ＬＥＤユニット１が筐体係合部１２ｅ及び支持台固定部４２ｅ、または筐体係合部１３ｆ及び支持台固定部４３ｆを有していることについても、同様の効果を奏する。
【００８４】
（実施の形態２）
次に、本発明の実施の形態２に係る照明装置１００について、説明する。
【００８５】
図１２は、本発明の実施の形態２に係る照明装置１００の構成を示す断面図である。なお、本実施の形態に係る照明装置１００では、上記実施の形態１に係るＬＥＤユニット１を用いている。したがって、同図において、上記実施の形態１で示した構成要素と同じ構成要素には同じ符号を付している。
【００８６】
同図に示すように、照明装置１００は、例えば天井の壁２００に取り付けられたダウンライトであり、照明器具６０と、上記実施の形態１に係るＬＥＤユニット１とを備えている。照明器具６０は、ＬＥＤユニット１が取り付けられ、ＬＥＤユニット１に給電を行うための器具であり、ＬＥＤユニット１を覆うように構成された器具本体６１と、ＬＥＤユニット１に電力を供給する電源回路６２とを備えている。また、器具本体６１は、放熱部６１ａと反射部６１ｂとを有しており、電源回路６２は、リード線６２ａを有している。
【００８７】
放熱部６１ａは、ＬＥＤユニット１から伝達される熱を放熱する部位である。放熱部６１ａは、内部に電源回路６２を収容し、また、前面部（下面部）には、ＬＥＤユニット１が固定されている。つまり、図１０または図１１に示したように、放熱部６１ａの下面部には、ＬＥＤユニット１の支持台４０が固定部材７０によって固定されている。なお、ＬＥＤユニット１は、放熱部６１ａに対して着脱可能に取り付けられている。
【００８８】
ここで、放熱部６１ａの形状は、放熱に適した形状であれば特に限定されないが、例えば外周に放射状にフィンが形成されたような形状が考えられる。また、放熱部６１ａは、アルミニウムなどの熱伝導性が高い材料で構成することが好ましい。
【００８９】
反射部６１ｂは、前部（下部）に円形の開口が形成された略カップ形状であって、ＬＥＤユニット１の側方を囲うように構成されている。具体的には、反射部６１ｂは、放熱部６１ａの下面部の周縁から下方に向かって内径が漸次拡大するように形成された円筒形状の部位である。
【００９０】
つまり、反射部６１ｂは、光照射側に開口を有し、ＬＥＤユニット１からの光を反射するように構成されている。例えば、反射部６１ｂは、絶縁性を有する白色の合成樹脂によって構成されている。なお、反射率を向上させるために、反射部６１ｂの内面に反射膜をコーティングしてもかまわない。なお、反射部６１ｂは、合成樹脂製のものに限定されず、金属板をプレス加工して形成されたような金属製の反射板を用いてもよい。
【００９１】
電源回路６２は、ＬＥＤユニット１に対して直流電力を供給するための部材である。つまり、電源回路６２には、交流電力を直流電力に変換するための回路素子（電子部品）などが配置されており、電源回路６２は、交流電力を受電して、直流電力に変換し、リード線６２ａを介して、当該直流電力をＬＥＤユニット１に供給する。なお、ＬＥＤユニット１の調光を行うための電子部品等が電源回路６２に配置されており、照明器具６０がＬＥＤユニット１を調光可能な構成等として実現されていてもかまわない。
【００９２】
以上のように、本発明の実施の形態２に係る照明装置１００によれば、上記実施の形態１に係るＬＥＤユニット１を備えているため、上記実施の形態１と同様の効果を奏する。なお、本実施の形態において、上記実施の形態１と同様の変形を施してもかまわない。
【００９３】
以上、本発明の実施の形態に係る照明用光源としてのＬＥＤユニット１及び照明装置１００について説明したが、本発明は、上記実施の形態に限定されるものではない。つまり、今回開示された実施の形態は全ての点で例示であって制限的なものではないと考えられるべきである。本発明の範囲は上記した説明ではなくて特許請求の範囲によって示され、特許請求の範囲と均等の意味及び範囲内での全ての変更が含まれることが意図される。
【００９４】
また、上記実施の形態を任意に組み合わせて構築される形態も、本発明の範囲内に含まれる。また、上記実施の形態の部分的な構成を、適宜組み合わせてなる構成であってもよい。
【００９５】
例えば、上記の実施の形態では、筐体係合部は、固定部材７０と離間して配置されていることとしたが、筐体係合部に固定部材７０からの力が作用しない（または小さい力しか作用しない）のであれば、筐体係合部は、固定部材７０と当接して配置されていてもよい。
【００９６】
また、上記の実施の形態では、支持台固定部と筐体係合部とは、固定部材７０を挿入するための挿入孔を形成するように配置されていることとしたが、支持台固定部と筐体係合部とは、前方から見て異なる位置に配置されていれば、当該挿入孔を形成していなくともかまわない。
【００９７】
また、上記の実施の形態では、固定部材７０はネジであり、ネジ止めによってＬＥＤユニット１が照明器具６０に固定されることとしたが、図１１に示すような構成で固定できるのであれば、固定部材７０はネジには限定されず固定部材７０による固定方法はネジ止めでなくともよい。
【００９８】
また、上記の実施の形態では、支持台固定部は、筐体係合部よりも支持台４０の中心に近い位置に配置されていることとしたが、筐体係合部よりも支持台４０の中心から遠い位置に配置されている構成でもかまわない。
【００９９】
また、上記の実施の形態では、ＬＥＤユニット１は、三対の筐体係合部及び支持台固定部を有しており、３箇所で固定部材７０によって照明器具６０に固定されることとしたが、ＬＥＤユニット１は、何箇所で照明器具６０に固定される構成でもかまわない。つまり、ＬＥＤユニット１は、一対または二対の筐体係合部及び支持台固定部を有しており、１箇所または２箇所で照明器具６０に固定されてもよいし、四対以上の筐体係合部及び支持台固定部を有しており、４箇所以上で照明器具６０に固定される構成でもかまわない。なお、落下防止の観点から、ＬＥＤユニット１は、二対以上の筐体係合部及び支持台固定部を有しているのが好ましく、三対以上の筐体係合部及び支持台固定部を有しているのがさらに好ましい。
【０１００】
また、上記の実施の形態では、支持台固定部は、支持台４０の外周を切り欠くようにして形成されていることとしたが、支持台４０の内側に貫通孔を形成して当該貫通孔の周囲に支持台固定部を配置するような構成でもかまわない。筐体係合部についても同様である。
【０１０１】
また、上記の実施の形態において、発光部からの光を集光するためのレンズやリフレクタ等の光学部品、または、色調調節のための光学フィルタ等を用いてもよい。但し、これらの部品は、本発明の必須の構成ではない。
【０１０２】
また、上記の実施の形態では、発光部２１は実装基板２０上にＬＥＤチップを直接実装したＣＯＢ型の構成としたが、これに限らない。例えば、樹脂成型されたキャビティの中にＬＥＤチップを実装して当該キャビティ内に蛍光体含有樹脂を封入したパッケージ型のＬＥＤ素子を用いて、このＬＥＤ素子を基板上に複数個実装することで構成された表面実装型（ＳＭＤ：Ｓｕｒｆａｃｅ  Ｍｏｕｎｔ  Ｄｅｖｉｃｅ）の発光部を用いてもかまわない。
【０１０３】
また、上記の実施の形態では、発光部２１は、青色発光ＬＥＤと黄色蛍光体とによって白色光を放出するように構成したが、これに限らない。例えば、赤色蛍光体及び緑色蛍光体を含有する蛍光体含有樹脂を用いて、これと青色発光ＬＥＤと組み合わせることによりに白色光を放出するように構成してもかまわない。
【０１０４】
また、発光部２１は、青色以外の色を発光するＬＥＤを用いてもかまわない。例えば、ＬＥＤとして紫外線発光のＬＥＤチップを用いる場合、蛍光体粒子としては、三原色（赤色、緑色、青色）に発光する各色蛍光体粒子を組み合わせたものを用いることができる。さらに、蛍光体粒子以外の波長変換材を用いてもよく、例えば、波長変換材として、半導体、金属錯体、有機染料、顔料など、ある波長の光を吸収し、吸収した光とは異なる波長の光を発する物質を含んでいる材料を用いてもよい。
【０１０５】
また、上記の実施の形態では、発光素子２１ａとしてＬＥＤを例示したが、半導体レーザ等の半導体発光素子、有機ＥＬ（Ｅｌｅｃｔｒｏ  Ｌｕｍｉｎｅｓｃｅｎｃｅ）または無機ＥＬ等の発光素子を用いてもよい。
【符号の説明】
【０１０６】
１  ＬＥＤユニット（照明用光源）
１０  筐体
１１  第一筐体側面部
１１ａ、１１ｂ  第一筐体平面部
１１ｃ  第一筐体凹部
１１ｄ、１２ｄ、１３ｅ  筐体開口部
１１ｅ、１２ｅ、１３ｆ  筐体係合部
１２  第二筐体側面部
１２ａ、１２ｂ  第二筐体平面部
１２ｃ  第二筐体凹部
１３  第三筐体側面部
１３ａ、１３ｂ  第三筐体平面部
１３ｃ、１３ｄ  筐体曲面部
１４、１５、１６、１７  筐体突出部
２０  実装基板
２１  発光部
２１ａ  発光素子
２２、２３  コネクタ
２２ａ、２３ａ  リード線先端部
３０  絶縁体
４０  支持台
４１  第一支持台側面部
４１ａ、４１ｂ  第一支持台平面部
４１ｃ  第一支持台凹部
４１ｄ、４２ｄ、４３ｅ  支持台開口部
４１ｅ、４２ｅ、４３ｆ  支持台固定部
４２  第二支持台側面部
４２ａ、４２ｂ  第二支持台平面部
４２ｃ  第二支持台凹部
４３  第三支持台側面部
４３ａ、４３ｂ  第三支持台平面部
４３ｃ、４３ｄ  支持台曲面部
４４、４５、４６、４７  支持台溝部
５１、５２、５３  挿入孔
６０  照明器具
６１  器具本体
６１ａ  放熱部
６１ｂ  反射部
６２  電源回路
６２ａ  リード線
７０  固定部材
７１  柱部
７２  大径部
１００  照明装置
２００  壁
【図１Ａ】
2014175268.tif 000003
【図１Ｂ】
2014175268.tif 000004
【図２】
2014175268.tif 000005
【図３】
2014175268.tif 000006
【図４】
2014175268.tif 000007
【図５】
2014175268.tif 000008
【図６】
2014175268.tif 000009
【図７】
2014175268.tif 000010
【図８】
2014175268.tif 000011
【図９】
2014175268.tif 000012
【図１０】
2014175268.tif 000013
【図１１】
2014175268.tif 000014
【図１２】
2014175268.tif 000015